(57)【要約】記録担体から情報をレンダリングするためのシステムが記載される。記録担体（１）は、組み込まれた集積回路（４）を持つ。チップは装置と非接触で通信する。チップ（４）のための電力は、該チップに組み込まれた電源コイルによって、低周波の磁束変化から生成される。前記装置は、読み取りヘッド（２２）と、前記電源コイルと協働するための正及び負の磁束を伴うエリアを持つ静磁場を生成するための複数の磁極を持つ磁気アレイ（２１）と、ヘッド（２２）を介してトラックを走査するために前記記録担体を回転させ、前記低周波の磁束変化を生成するために前記磁場を通って集積回路（４）を移動させる駆動手段（２６）とを持つ。
2005530289.tif 000002
【特許請求の範囲】
【請求項１】
記録担体から情報をレンダリングするためのシステムであって、前記システムは、
前記情報を表すマークを担持するためのトラックを有する記録担体と、
前記トラックから前記情報を読み取るための装置と、
を有し、前記記録担体は、前記装置と非接触で通信するための通信手段と、低周波の磁束変化から供給電力を生成するための電源コイルとを有する集積回路を有し、前記装置は、
前記マークを読み取るためのヘッドと、
前記集積回路と非接触で通信するための通信手段と、
前記電源コイルと協働するための、正及び負の磁束を伴うエリアを持つ静磁場を生成する複数の磁極を持つ磁気アレイと、
前記ヘッドを介して前記トラックを走査するために前記記録担体を回転させ、前記低周波の磁束変化を生成するために前記磁場を通って前記集積回路を移動させる駆動手段と、
を有するシステム。
【請求項２】
記録担体のトラックから情報を読み取るための装置であって、前記記録担体は、前記装置と非接触で通信するための通信手段と、低周波の磁束変化から供給電力を生成するための電源コイルとを有する集積回路を有し、前記装置は、
前記マークを読み取るためのヘッドと、
前記集積回路と非接触で通信するための通信手段と、
前記電源コイルと協働するための、正及び負の磁束を伴うエリアを持つ静磁場を生成する複数の磁極を持つ磁気アレイと、
前記ヘッドを介して前記トラックを走査するために前記記録担体を回転させ、前記低周波の磁束変化を生成するために前記磁束のエリアを通って前記集積回路を移動させる駆動手段と、
を有する装置。
【請求項３】
前記磁気アレイは、前記集積回路の大きさと同じオーダーの大きさの、前記集積回路の前記移動の方向における大きさを持つ磁束エリアを生成するように構成される、請求項２に記載の装置。
【請求項４】
前記磁気アレイは、前記移動の間に前記集積回路によって通過される経路の完全な円よりもかなり小さな円の部分にのみ沿って前記磁束エリアを生成するように構成される、請求項２に記載の装置。
【請求項５】
前記磁気アレイは、磁気的に伝導性のあるレールに取り付けられた複数の長方形の磁石を有する、請求項２に記載の装置。
【請求項６】
情報を表すマークを担持するトラックを有する記録担体であって、前記記録担体は、装置と非接触で通信するための通信手段と、低周波の磁束変化から供給電力を生成するための電源コイルとを有する集積回路を有し、前記磁束変化は、正及び負の磁束を伴う磁束エリアを持つ磁場を通って前記集積回路を移動させることにより生成される記録担体。
【請求項７】
前記トラックは導電性の記録層に配置され、前記層は前記集積回路を含む環状のエリアによって中断される、請求項６に記載の記録担体。
【請求項８】
装置と非接触で通信するための通信手段と、低周波の磁束変化から供給電力を生成するための電源コイルとを有する集積回路であって、前記磁束変化は、正及び負の磁束を伴う磁束エリアを持つ磁場を通って前記集積回路を移動させることにより生成される集積回路。
【請求項９】
前記電源コイルは少なくとも１０の巻数を持つ、請求項８に記載の集積回路。
【請求項１０】
前記集積回路は、前記正及び負の磁束を伴う磁束エリアを持つ磁場を通る前記集積回路の移動の速度を検出するための速度検出ユニットを有する、請求項８に記載の集積回路。
【発明の詳細な説明】
【技術分野】
【０００１】
本発明は、記録担体から情報をレンダリングするためのシステムであって、前記システムは、前記情報を表すマークを担持するためのトラックを有する記録担体と、前記トラックから前記情報を読み取るための装置とを有するシステムに関する。前記記録担体は、前記装置と非接触で通信するための通信手段を有する。前記装置は、前記マークを読み取るためのヘッドと、前記集積回路と非接触で通信するための通信手段とを有する。
【背景技術】
【０００２】
情報をレンダリング（rendering）するための装置及び記録担体は、欧州特許EP0966124より知られている。ディスク型の記録担体が、例えば記録管理データのような付加的なデータを記録するためのメモリを構成する集積回路を備える。前記集積回路は、前記記録管理データを処理し、記録及び／又は再生装置から供給電力を受信する、関連する電磁結合手段を持つ。前記結合手段は、前記ディスク上の環状の螺旋形状に、又は前記集積回路に組み込まれる。第１の例においては、より低い伝送周波数が利用され、大きなインダクタンスが必要とされる。それ故、前記環状の形状における構成は、大きなコイルと、ボンディングパッド（bonding pad）を介して前記集積回路に前記コイルを接続することとを必要とする。かような接続は、前記記録担体の製造のコストを増大させ、且つ信頼性もより低い。第２の例においては、高い伝送周波数が利用され、前記電磁結合手段は、前記集積回路におけるＨＦアンテナのように構成される。前記集積回路に前記供給電力を伝送するために高い周波数帯域を利用することは、強力なＨＦ源が前記装置に含まれる必要があるという問題を持つ。かようなＨＦ源は、伝送の低い効率のため、前記集積回路へ十分な電力を輸送するために比較的大きな電力を必要とし、且つかような目的のために利用可能とされる周波数帯域に限定される。家庭での利用のためには、政府によって限られた範囲の周波数のみが利用可能とされており、当該範囲は世界中で異なり得る。更に、かようなＨＦ源は、近くにある他の電子回路と干渉を起こし得る。
【発明の開示】
【発明が解決しようとする課題】
【０００３】
本発明の目的は、他の電子回路と干渉しない、前記記録担体上の集積回路のための信頼性の高い電源を持つ、情報をレンダリングするためのシステムを提供することにある。
【課題を解決するための手段】
【０００４】
この目的のため、最初の段落に記載された記録担体は、正及び負の磁束を持つ磁束エリアを持つ磁場を通って前記集積回路を移動させることにより生成される低周波の磁束変化から供給電力を生成するための電源コイルとを有する集積回路を有する。この目的のため、最初の段落に記載された装置は、前記電源コイルと協働するための、正及び負の磁束を伴うエリアを持つ静磁場を生成する複数の磁極を持つ磁気アレイと、前記ヘッドを介して前記トラックを走査するために前記記録担体を回転させ、前記低周波の磁束変化を生成するために前記磁場を通って前記集積回路を移動させる駆動手段とを持つ。本方法は、前記記録担体上の前記集積回路用の電源が、前記記録担体が所定の最小速度で回転させられるとすぐに、直接に及びそれだけで利用可能となるという効果を持つ。このことは、例えばセキュリティ対策又はアクセス権のような前記集積回路の内容を改竄しようと試みる悪意のユーザにとって、前記集積回路にアクセスすることがより困難であるという利点を持つ。なぜなら、前記記録担体は回転させられる必要があり、前記集積回路へのアクセスは前記装置において制御されるからである。更に、前記集積回路に組み込まれたＨＦアンテナを利用することに比べて、チップに電力を供給するためのいずれの高周波源の利用の必要もない。磁場電源を利用することは、通信及び他の用途のために利用可能なＨＦ周波数を空ける。
【０００５】
本発明はまた、以下の認識に基づく。本発明者は、約１テスラの強度及び低い電力要求を持つ集積回路処理技術に帰着する、ＮｅＦｅＢｏ合金のような高度に磁気的な物質でできた少なくとも１つの小さいが強力な磁石と、かなりの数の巻のコイルを可能とする幾つかの金属層との組み合わせが為され得ることを見出した。かような組み合わせは、ＣＤ又はＤＶＤのような記録担体のために現在利用されている回転の速度において丁度十分な電力を供給する。
【０００６】
前記装置の実施例においては、前記磁気アレイが、前記集積回路の大きさと同じオーダーの大きさの、前記集積回路の移動の方向における大きさを持つ磁束エリアを生成するように構成される。このことは、磁束の大きな変化が、前記集束回路の小さな変位によって達成されるという効果を持つ。このことは、比較的低速でかなりの供給電力が生成されるという利点を持つ。
【０００７】
前記装置の実施例においては、前記磁気アレイは、前記移動の間に前記集積回路によって通過される経路の完全な円よりもかなり小さな円の部分にのみ沿って前記磁束エリアを生成するように構成される。このことは、少ない数の磁石のみが必要とされ、コストを削減し前記装置の構造を単純化するという利点を持つ。例えばＥＥＰＲＯＭ書き込みサイクルを実行するために、前記円の部分内の時間の間に前記集積回路にアクセスするための十分な時間がある。
【０００８】
前記記録担体の実施例において、前記トラックは導電性の記録層に配置され、前記層は前記集積回路を含む環状のエリアによって中断される。前記中断は移動の方向と垂直であっても良く、又は前記層は前記環状のエリア内で完全に省略されても良い。このことは、前記磁場による前記記録層中の渦電流が減少させられるという利点を持つ。かような渦電流は前記磁石からの磁束を減衰させ得、前記記録層の加熱を引き起こし、又は前記ディスクの回転に対して制動効果を持ち得る。
【０００９】
実施例においては、前記集積回路は、前記正及び負の磁束を伴う磁束エリアを持つ磁場を通る前記集積回路の移動の速度を検出するための速度検出ユニットを有する。このことは、前記速度が必要とされる範囲内にない場合には、前記集積回路の機能がブロックされるという利点を持つ。このことは、前記記録担体が必要とされる速度で回転させられていることを確認することにより、又は前記集積回路が低すぎる若しくは高すぎる供給電力レベルで駆動されることを防止することにより、前記集積回路の内容の改竄に対する抵抗力を高める。
【００１０】
欧州特許EP0884729は、記録担体中のコイルによって電力を供給されるチップを持つ記録担体及び装置中の静的な磁石を記載していることに留意されたい。しかしながらコイルはチップに集積されておらず、十分な磁束をカバーするために前記記録担体の広い範囲に渡って分散された複雑な多巻構成を持つ。前記チップはボンディングパッドを介して前記コイルに接続される。前記磁石は、前記コイルの広い範囲と協働するような大きさにされる。
【００１１】
本発明のこれらの及び他の態様は、以下の説明において例として説明される実施例を参照しながら、及び添付する図を参照しながら説明され明らかとなるであろう。異なる図における対応する要素は同一の参照番号を持つ。
【発明を実施するための最良の形態】
【００１２】
図１は、中央開口２及びトラック３を持つ記録担体１を示す。トラック３は螺旋又は同心円パターンに配置され、情報を保存するための第１のエリアを有する。前記記録担体は、例えば光読み取り可能な情報を含む読み取り専用タイプのものであっても良いし、又は例えばＣＤ−Ｒ又はＤＶＤ＋ＲＷのような記録可能なタイプのものであっても良い。記録担体１上の第２のエリアは、付加的な情報を非接触で送信及び受信する送信手段及び受信手段を備えた集積回路４を有する。適切な送信手段及び受信手段については、図３及びその説明を参照されたい。集積回路４は低周波の磁束変化から供給電力を生成するためのかなりの量の巻を持つ電源コイル２０を持つ。
【００１３】
図２は、前記記録担体を読み取るための装置を示す。装置６は、記録担体１を回転させる駆動手段２６、及び前記記録担体上のトラック３を読み取る読み取りヘッド２２を備える。読み取りヘッド２２は、放射ユニット２７、及びビーム２９によって前記記録担体上のトラックにフォーカスされる光スポット２８を生成するための知られたタイプの光学系を有する。ビーム２９は、例えば７８０ｎｍの波長を持つ赤外線レーザダイオードのような放射源４１によって生成される。前記光学系は、前記ビームを平行にするコリメータレンズ３９、前記ビームをフォーカスする対物レンズ４０、及び例えば偏光ビームスプリット立方体、薄膜又はリターダ（retarder）のようなビームスプリットユニット４３のような光学素子を有する。前記記録担体によって反射された後、ビーム２９は、例えば四分検出器のような検出器４２によって検出される。検出器４２は、例えば読み取り信号、トラッキングエラー信号及びフォーカスエラー信号のような検出器信号３１を生成する。装置６は、前記トラッキングエラー信号を受信しトラッキングアクチュエータ３０を制御するための、読み取りヘッド２２に結合されたトラッキング手段３２を持つ。読み取りヘッド２２は、前記記録担体にビーム２９をフォーカスするためのアクチュエータ、及び径方向の光スポット２８を前記トラックの中央に高精度に位置決めするためのトラッキングアクチュエータ３０を有する。前記レーザビームによる前記トラックの追従は、対物レンズ４０の位置を変化させることによって実行されても良い。読み取りの間、前記読み取り信号は、読み取り手段３４において矢印３３によって示される出力情報に変換される。読み取り手段３４は例えば、検出されたチャネルワードをソースワードに変換するチャネルデコーダ、及び前記読み取り信号中に存在するエラーを訂正するエラー訂正器を有する。装置６は更に、前記トラックの径方向における読み取りヘッド２２の粗い位置決めのための位置決め手段３６を有する。また装置６は更に、制御コンピュータシステム又はユーザからコマンドを受信し、例えば駆動手段２６、位置決め手段３６、トラッキング手段３２及び読み取り手段３４に接続されたシステムバスのような制御線３８により前記装置を制御するシステム制御ユニット３７を有する。この目的のため、システム制御ユニット３７は、以下に説明される処理を実行するための例えばマイクロプロセッサ、プログラムメモリ及び制御ゲートのような制御回路を有する。システム制御ユニット３７はまた、論理回路中の状態機械として実装されても良い。
【００１４】
装置６は、正及び負の磁束を伴う磁束エリアを持つ静磁場を生成するための複数の磁極を持つ磁気アレイ２１を有する。基本的な実施例においては、前記磁気アレイは前記集積回路の方を向く２つの反対の磁極を持つ単一の強力な磁石、例えば鉄に取り付けられた成型された磁石又は長方形の磁石を持つ。結果の磁場は、小さな距離で大きな磁束の変化を持ち、それ故前記記録担体上の集積回路４において非常に小さな電源コイル２０において電力を生成するために適している。駆動手段２６は前記記録担体を回転させ、それにより集積回路４を前記磁場を通って移動させる。電源コイル２０は、前記磁束エリアを通って集積回路４を移動させることによって生成される低周波の磁束変化から供給電力を生成する。磁気アレイの更なる実施例は、図４、５及び６に示される。
【００１５】
装置６は更に、記録担体１上の集積回路４に保存された付加的情報を受信及び送信する受送信手段５を有する。実施例においては、前記付加的情報は、前記情報にスクランブルをかける又はスクランブルを解除するための鍵を有する。このスクランブル解除鍵は、スクランブル解除手段３５に与えられる。スクランブルをかけられた出力情報３３は次いで、これらのスクランブル解除手段においてスクランブル解除され、次いで矢印４４によって示されるように伝達される。当該スクランブル解除された情報は、例えば適切な装置において表示され得るオーディオ又はビデオ情報を有しても良い。情報にスクランブルをかける及びスクランブル解除するという語は、暗号化及び復号化を意味するものとしても理解されることは留意されるべきである。前記装置の実施例は、例えばＣＤ−Ｒディスク又はＤＶＤ＋ＲＷディスクのような書き込み可能なタイプの記録担体に光読み取り可能な符号を供給するための書き込み手段を有する。
【００１６】
図３は、前記集積回路と前記装置との間の通信を示す。装置６中の送信手段５の実施例においては、集積回路４へのデータ９の転送は、ドライバ８及び発光ダイオード（ＬＥＤ）７を介して行われる。集積回路４において、ＬＥＤ７から来る光が、受信信号１３を生成するフォトダイオード１２によって集められ、受信信号１３が検出器１０に供給される。前記検出器は前記装置から付加的情報を受信し、前記付加的情報は、例えばメモリに保存するため又はコピー保護アルゴリズムにおける利用のため、プロセッサ１４において処理される。実施例においては、コピー保護アルゴリズムは、前記受信された付加的情報に依存して、前記記録担体上の情報をスクランブル解除するためのスクランブル解除鍵を生成するために利用される。例えばスクランブル解除鍵のような、州席回路４から出力されるデータは、アンテナ１５によって装置６にデータを送信する無線送信器１１に供給されても良い。装置６は、アンテナ１６によって前記データを受信する無線受信器１７を有する。前記データはプロセッサ１８に供給され、プロセッサ１８は例えばコピー保護アルゴリズムを実行し、又はスクランブル解除手段３５に鍵を出力する。
【００１７】
集積回路４は、電源回路１９に結合された電源コイル２０を含む。前記コイルは、前記集積回路の金属層に組み込まれた幾つかの巻を持つ。実用的な量の供給電力を生成するためには、少なくとも１０の巻が必要とされるが、現在の電力要求のためには約１００の巻が必要とされ実施可能である。
【００１８】
図４は、記録担体及び磁気アレイを示す。記録担体１は装置に配置され、該装置の光ヘッド２２、位置決めスレッジ３６及び磁気アレイ２１のみが示されている。記録担体１を回転させることにより、集積回路（又はチップ）４が磁気アレイ２１に沿って移動することが、明らかに理解される。前記磁気アレイは、円の一部のみをカバーし、本実施例においては約１１１度の円の部分をカバーする。それ故、前記磁気アレイはおおよそバナナ形である。前記チップは、永久磁石の磁場を通る前記チップの移動により引き起こされる、チップに実装されたインダクタにおける誘導電圧から電力を供給される。磁気アレイと集積回路との間の実用的な距離は、およそコイルの大きさとなる必要があることに留意されたい。
【００１９】
ディスク１の導電層、とりわけ前記集積回路を含む環状のエリアにおいて、渦電流が誘導され得ることに留意されたい。かような渦電流は、該渦電流が高い抵抗の経路に遭遇するように、例えば縞を形成することにより、前記エリアの周囲で記録層を中断することにより減衰させられることができる。
【００２０】
図５は、磁束の変化及び誘導電圧を示す。上段において、矢印５１によって示されるように磁気アレイ２１に沿って移動する、コイル２０を含む集積回路４が示されている。前記コイルを通過する総磁束は、磁束曲線５３によって示される。結果として単一の磁極からコイル２０中に誘導される電圧は、電圧曲線５４によって示される。生成される電力は以下のように算出される。簡単のため、前記コイル中の全ての巻が総磁束を含むように、前記磁極の大きさがコイルの内側の大きさに等しいことが仮定される。前記チップは１Ｔ（Ｗｂ／ｍ２）の永久磁石の３×３ｍｍの磁極上を移動する。実際的な磁石はＮｅＦｅＢｏ合金から成り、約５の高さ対長さ比を持つ。前記チップにおいて、ｌcoil,inner×ｗcoil,inner＝３×３ｍｍの内側の大きさを持つＮ巻のインダクタが組み込まれている。ディスクの回転毎に１回、前記チップに実装されたインダクタに磁束パルスが出現する。３５ｍｍの径に配置され、回転周波数が１００Ｈｚとすると、線速度はｖ＝π・ｄchip・ｆrot＝π・0.035・100＝11ｍ／ｓとなる。
【００２１】
前記チップが前記磁場に完全に入りそして出るように移動させるために、ｔon＝2・ｌcoil,inner／ｖ＝2・0.003／11＝546μｓがかかる。総磁束が前記コイルに出現すると仮定すると、誘導される電圧は、
【数１】
2005530289.tif 000003
に等しい。負荷においてＵｌ＝２．５Ｖを達成するため、Ｎ＝２・Ｕl／ｅ＝2・2.5／0.033＝152巻が必要とされる。巻の幅をｗturn＝3.9μｍとし、巻の間隔をｗspace＝0.64μｍとすると、巻線の幅は、
Ｗwinding＝Ｎ・（ｗturn＋ｗspacing）＝152・（3.9・10-6＋0.64・10-6）＝0.7ｍｍとなる。必要となるチップエリアは、
（ｌcoil,inner＋２・Ｗwinding）×（ｗcoil,inner＋２・Ｗwinding）＝4.4×4.4ｍｍ＝19.3ｍｍ2
である。前記チップの大きさは4.4×4.4ｍｍとなり、ここで中央の３×３ｍｍが電子素子のために利用可能である。前記コイルの巻の平均の大きさは3.7×3.7ｍｍであり、そのため平均の巻の長さはｌturn＝4・3.7＝14.8ｍｍに等しい。利用可能な金属層は並列に利用されることができる。このことは１巻の抵抗を、
【数２】
2005530289.tif 000004
に至らしめる。コイル抵抗は、
Ｒcoil＝Ｎ・Ｒturn＝152・45＝6822Ω
となる。最大の負荷電力Ｐlは、コイル抵抗Ｒcoilに等しい負荷抵抗Ｒlを選択することにより利用可能となる。この場合、前記負荷電力は、
Ｐl＝Ｕl2／Ｒl＝2.42／6286＝0.92ｍＷ
となる。前記ディスクの１回転の間に利用可能なエネルギーは、
Ｅl＝Ｐl・ｔon＝0.92・10-3・546・10-6＝500ｎＪであり、利用可能な電力は、
Ｐav＝Ｐl・ｔon／Ｔrot＝Ｐl・ｔon・ｆrot＝0.92・10-3・0.546・10-3・100＝50μＷである。19ｍｍ2という必要とされるチップエリアは比較的大きい。より小さな電力で十分な場合には、必要とされるコイル抵抗が増大し、前記金属層中のコイルの巻線は直列化される。再計算の後、回転毎に５ｎＪを集めるために必要とされるチップエリアは1.3ｍｍ2となり、前記磁極の大きさは0.7×0.7ｍｍである。実施例においては、前記チップは、例えば110ｍｍのような、前記ディスクのより外側の径に配置される。より高い線速度のため、誘導電圧は増大し、より少ない巻しか必要とされない。
【００２２】
図６は、複数の磁極について磁束の変化及び誘導電圧を示す。上段には、矢印５１によって示されるように磁気アレイ２１に沿って移動する、前記コイル２０を含む集積回路４が示されている。交番する極性の４つの磁極５０を持ち、正及び負の磁束を持つ磁束エリアに帰着する磁気アレイが示されている。前記コイルを通過する総磁束は、磁束曲線５３によって示される。結果としてコイル２０中に誘導電圧は、電圧曲線５４によって示される。前記チップは、永久磁石アレイの磁極の上を移動する。磁極の境界の周囲では、受信される磁束の方向が反転し、それにより単一の磁極の構成に比べて磁束ステップは２倍大きい。結果として、誘導される電圧は２倍となる。明らかに、磁束がゼロに減少する前記磁石の先頭及び末尾において、必要とされる電圧の半分が誘導される。１×１ｍｍの大きさの３４個の磁極を持つ１テスラ（Ｗｂ／ｍ２）の永久磁石、及び1.5×1.5ｍｍ（2.26ｍｍ2）の総チップエリアを利用すると、３ｍｓの間に1.8ボルトで300μＷを生成することが可能である。実際には該値は、例えばＥＥＰＲＯＭで16バイトのような適切なメモリを有するチップにおいて、ディスク回転毎にデータを書き込むためには十分である。前記チップの位置は35ｍｍの径に、及び回転周波数は100Ｈｚに選択され、11.0ｍ／ｓの速度に帰着する。１ｍｍの３４個の磁極の磁石については、ランプタイムと呼ばれる前記磁束が変化する時間５２は0.091ｍｓであり、利用可能な３ｍｓ、即ち回転時間の約３０％の「オンタイム」に帰着する。１６４巻のコイル及び0.022Ｖ／巻の誘導電圧は、3.60ボルトの開放コイル電圧に帰着する。巻の数は、５つの金属層及び約2.3ｍｍ2のチップエリア、並びに1.25ｍｍの平均コイル幅及び長さを利用して構成されても良い。1.8ボルトの負荷電圧を利用すると、890Ｊの回転毎のエネルギーにおいて前記コイル中の電力は0.30ｍＷであり、平均電力は0.089ｍＷである。必要とされるＩＣエリアは非常に実用的であり、即ち2.3ｍｍ2である。
【００２３】
図７は、多磁極の磁気アレイを示す。レール６１が、幅６３及び長さ６４を持つ磁石６２を保持している。幾つかの磁石６２及び前記レールが、交番するＮ極６５及びＳ極６６を持つ磁気アレイ２１を構成する。実用的な実施例においては、前記アレイは、ＮｅＦｅＢｏ合金の１テスラの磁石によって構成される３４個の磁極を持つ。個々の１×１ｍｍの磁石は磁化され、例えば鉄でつくられたバナナ形のレール６１に取り付けられる。
【００２４】
本発明は主に光ディスクを利用する実施例により説明されたが、光カードのような類似した実施例も利用されることができる。本明細書において、「有する（comprising）」という語は、列記されたもの以外の要素又はステップの存在を除外するものではなく、要素に先行する「１つの（a又はan）」という語は、複数のかような要素の存在を除外するものではないこと、いずれの参照記号も請求の範囲を限定するものではないこと、本発明はハードウェア及びソフトウエアのいずれによって実装されても良いこと、並びに幾つかの「手段」は同一のアイテムのハードウェアによって表され得ることに留意されたい。更に、本発明の範囲は実施例に限定されるものではなく、本発明は上述した全ての新規な特徴又は特徴の組み合わせに存する。
【図面の簡単な説明】
【００２５】
【図１】集積回路を含む記録担体を示す。
【図２】レンダリング装置を示す。
【図３】集積回路と装置との間の通信を示す。
【図４】記録担体及び磁気アレイを示す。
【図５】磁束の変化及び誘導電圧を示す。
【図６】複数の磁極について磁束の変化及び誘導電圧を示す。
【図７】多磁極磁気アレイを示す。
【図１】
2005530289.tif 000005
【図２】
2005530289.tif 000006
【図３】
2005530289.tif 000007
【図４】
2005530289.tif 000008
【図５】
2005530289.tif 000009
【図６】
2005530289.tif 000010
【図７】
2005530289.tif 000011
【国際調査報告】
2005530289.tif 000012
2005530289.tif 000013
2005530289.tif 000014